(57)【要約】【課題】回転軸の外径方向の占有スペースを削減可能な駆動伝達装置を提供すること。【解決手段】第１入力側回転体１１及び第２入力側回転体１２が同軸上に保持された入力側回転軸１と、第１入力側回転体１１から逆向きの回転方向に駆動伝達される第１出力側回転体２１及び第２入力側回転体１２から同じ向きの回転方向に駆動伝達される第２出力側回転体２２が、同軸上に保持された出力側回転軸２と、入力側回転軸１に設けられて第１入力側回転体１１と第２入力側回転体１２との間で駆動伝達状態及び伝達遮断状態を切り換える入力側クラッチ５と、出力側回転軸２に設けられて第１出力側回転体２１と第２出力側回転体２２との間で駆動伝達状態及び伝達遮断状態を切り換える出力側クラッチ６と、を備えていることを特徴とする駆動伝達装置とした。【選択図】図２
2014173676.tif 000002
【特許請求の範囲】
【請求項１】
第１入力側回転体及び第２入力側回転体が同軸上に保持された入力側回転軸と、
前記第１入力側回転体の外径方向位置に配置されて前記第１入力側回転体から逆向きの回転方向に駆動伝達される第１出力側回転体及び前記第２入力側回転体の外径方向位置に配置されて前記第２入力側回転体から同じ向きの回転方向に駆動伝達される第２出力側回転体が、同軸上に保持された出力側回転軸と、
前記入力側回転軸に設けられて前記第１入力側回転体と前記第２入力側回転体との間で駆動伝達状態及び伝達遮断状態を切り換える入力側駆動切換部と、
前記出力側回転軸に設けられて前記第１出力側回転体と前記第２出力側回転体との間で駆動伝達状態及び伝達遮断状態を切り換える出力側駆動切換部と、
を備えていることを特徴とする駆動伝達装置。
【請求項２】
請求項１に記載の駆動伝達装置において、
前記第２出力側回転体から、駆動伝達される被駆動回転体を備えることを特徴とする駆動伝達装置。
【請求項３】
請求項１または請求項２に記載の駆動伝達装置において、
前記出力側回転軸から、駆動伝達される被駆動回転体を備え、
前記出力側駆動切換部は、前記第１出力側回転体と前記出力側回転軸との間で前記駆動伝達状態及び伝達遮断状態を切り換えることを特徴とする駆動伝達装置。
【請求項４】
請求項１〜請求項３のいずれか１項に記載の駆動伝達装置において、
前記第１入力側回転体と前記第１出力側回転体との駆動伝達手段が、両回転体の外周に形成された外歯歯車を相互に噛み合わせた手段であり、
前記第２入力側回転体と前記第２出力側回転体との駆動伝達手段が、両者に巻掛けされたベルトであることを特徴とする駆動伝達装置。
【請求項５】
請求項１〜請求項３のいずれか１項に記載の駆動伝達装置において、
前記第２入力側回転体と前記第２出力側回転体との駆動伝達手段が、前記第１入力側回転体に形成された内歯歯車と、前記第１出力側回転体の外周に形成された外歯歯車とを相互に噛み合わせた手段であることを特徴とする駆動伝達装置。
【請求項６】
請求項１〜請求項５のいずれか１項に記載の駆動伝達装置を備えていることを特徴とする画像形成装置。
【発明の詳細な説明】
【技術分野】
【０００１】
本発明は、出力回転の正転、逆転の切り換えが可能な駆動伝達装置及びその駆動伝達装置を備えた画像形成装置に関するものである。
【背景技術】
【０００２】
従来、１つのモータからの出力回転を入力し、その回転を出力軸に正転及び逆転させて伝達する駆動伝達装置が知られている（例えば、特許文献１）。
この従来技術は、モータから回転が入力されるギアに噛み合わされた駆動入力ギアから、被駆動体に回転を伝達する駆動出力ギアへの駆動伝達経路として２系統の経路が備えている。
第１の経路は、駆動入力ギアから、正転出力時に締結され、逆転出力時に解放される正回転クラッチを介して、駆動出力ギアに伝達する経路である。
第２の経路は、駆動入力ギアから、カウンタギアを介し、さらに、正転出力時に解放され、逆転出力時に解放される逆回転クラッチを介して駆動出力ギアに伝達する経路である。
上記のように、第１の経路と第２の経路とでは、介在されるギアの数が異なることにより、１つのモータを単一回転方向に駆動させながら、駆動出力ギアの回転を、正逆選択的に伝達することができるようになっている。
【発明の概要】
【発明が解決しようとする課題】
【０００３】
しかしながら、上述の従来技術では、駆動入力ギアの外径方向に、カウンタギア、両クラッチの入力ギアを併設し、また、両クラッチの出力ギアを外径方向に併設し、さらに、その外径方向に駆動出力ギアを設けた構造となっている。
このように、駆動入力ギアから、その回転軸の外径方向に複数のギアからなる２系統のギアを配置した構造であるため、装置の外径方向の占有スペースが大きくなるという問題を有していた。
【０００４】
本発明は、上述の従来の問題点に着目してなされたもので、回転軸の外径方向の占有スペースを削減可能な駆動伝達装置及びその駆動伝達装置を備えた画像形成装置を提供することにある。
【課題を解決するための手段】
【０００５】
上記目的を達成するために本発明は、
第１入力側回転体及び第２入力側回転体が同軸上に保持された入力側回転軸と、
前記第１入力側回転体の外径方向位置に配置されて前記第１入力側回転体から逆向きの回転方向に駆動伝達される第１出力側回転体及び前記第２入力側回転体の外径方向位置に配置されて前記第２入力側回転体から同じ向きの回転方向に駆動伝達される第２出力側回転体が、同軸上に保持された出力側回転軸と、
前記入力側回転軸に設けられて前記第１入力側回転体と前記第２入力側回転体との間で駆動伝達状態及び伝達遮断状態を切り換える入力側駆動切換部と、
前記出力側回転軸に設けられて前記第１出力側回転体と前記第２出力側回転体との間で駆動伝達状態及び伝達遮断状態を切り換える出力側駆動切換部と、
を備えていることを特徴とする駆動伝達装置とした。
【発明の効果】
【０００６】
本発明の駆動伝達装置によれば、出力側の出力側回転軸には、入力側回転軸のみから駆動伝達するようにし、入力側駆動切換部及び出力側駆動切換部は、両回転軸の軸方向の間に設けるようにした。
このため、径方向に配置した駆動伝達を行なうギア数の違いにより駆動伝達の回転方向を切り換えるものと比較して、径方向に噛み合うギア数を減らして、外径方向の占有スペースを削減することが可能となる。
【図面の簡単な説明】
【０００７】
【図１】図１は本発明の実施の形態１の駆動伝達装置を適用した画像形成装置の概略構成を示す構成説明図である。
【図２】図２は実施の形態１の駆動伝達装置の正転出力時の駆動伝達状態を示す説明図であり、（ａ）は回転軸に沿う方向から見た状態を示し、（ｂ）は回転軸の径方向から見た状態を示している。
【図３】図３は実施の形態１の駆動伝達装置の逆転出力時の駆動伝達状態を示す説明図であり、（ａ）は回転軸に沿う方向から見た状態を示し、（ｂ）は回転軸の径方向から見た状態を示している。
【図４】図４は実施の形態２の駆動伝達装置の正転出力時の駆動伝達状態を示す説明図であり、回転軸の径方向から見た断面状態を示している。
【図５】図５は実施の形態２の駆動伝達装置の逆転出力時の駆動伝達状態を示す説明図であり、回転軸の径方向から見た断面状態を示している。
【発明を実施するための形態】
【０００８】
以下、本発明の実施の形態を図面に基づいて説明する。
図１は、本発明の実施形態１の駆動伝達装置Ａを備えた画像形成装置１００の概略構成を示す図である。
同図に示すように、画像形成装置１００は、自動原稿送り装置１１０、読取装置１２０、作像装置１３０、定着装置１４０、給紙装置１５０、排紙装置１６０及び再給紙装置１７０を備えている。
【０００９】
自動原稿送り装置１１０は、この実施形態は、シートスルーの読み取りに対応した原稿送り機構を有する。読取装置１２０は、自動原稿送り装置１１０によって読み取り位置まで送られてきた原稿を搬送している状態で読み取る公知のものである。
【００１０】
作像装置１３０は、感光体、帯電チャージャ、光書き込みユニット、現像ユニット、転写ユニット、クリーニングユニット、除電ユニットなどを備えた公知のものである。すなわち、作像装置１３０は、帯電チャージャにより電位を付与した感光体に、光書き込みユニットにより潜像を形成し、この潜像を現像ユニットにより顕像化されたトナー像を、転写ユニットにより記録紙上に転写する。また、転写されずに残ったトナーは、クリーニングユニットによりクリーニングされ、また、感光体表面に残った電位は、徐電ユニットにより零電位に戻される。
【００１１】
定着装置１４０は、加圧ローラと熱ローラを対とする定着ローラを備えている。
給紙装置１５０は、給紙カセットに集積された記録紙を１枚ずつ引き出し、作像装置１３０の転写ユニット側に送り出す。
排紙装置１６０は、定着装置１４０から搬送される記録紙を排紙トレイ１６３へ排紙する一方で、再給紙装置１７０側へスイッチバックさせることができる。
すなわち、排紙装置１６０は、一対の排紙ローラ１６１，１６１を備え、図示を省略した排紙センサにより、記録紙が排紙ローラ１６１，１６１に端部が挟まれたニップ状態を検出したら、排紙ローラ１６１，１６１を逆転させて、再給紙装置１７０に供給する。
【００１２】
再給紙装置１７０は、作像装置１３０により作像されて排紙装置１６０の排紙ローラ１６１，１６１にニップ状態となった記録紙を、点線にて示すスイッチバック経路１７１を経てその裏面に転写可能な向きとして、作像装置１３０に供給する。なお、一対の排紙ローラ１６１，１６１は、外歯歯車を噛み合わせるなどして、回転入力に対し、両者が逆回転する構造となっている。
【００１３】
以上説明した画像形成装置１００にあっては、上述の排紙装置１６０の排紙ローラ１６１を正転及び逆転に、実施の形態１の駆動伝達装置Ａを用いている。
以下に、この駆動伝達装置Ａを、図２、図３により説明する。
駆動伝達装置Ａは、図２、図３に示すように、図示を省略したモータから回転入力される入力側回転軸１と、排紙ローラ１６１に回転出力する出力側回転軸２とを備えている。
【００１４】
入力側回転軸１は、同軸に第１入力側回転体１１と第２入力側回転体１２とを備え、駆動源であるモータ（図示省略）から回転入力される駆動ギア３の回転中心軸３１に対して軸方向を平行に配置されている。
【００１５】
第１入力側回転体１１は、入力側回転軸１と一体回転可能に結合された外歯歯車であり、外周に、駆動ギア３に噛み合うギア１１ａが形成されている。
第２入力側回転体１２は、摩擦によりベルト４に駆動伝達を行うプーリであり、入力側回転軸１に対して入力側クラッチ５を介在させて設けられている。したがって、第２入力側回転体１２は、入力側クラッチ５の締結状態で入力側回転軸１と一体的に回転し、入力側クラッチ５の解放状態で入力側回転軸１に対して空転する。
すなわち、入力側クラッチ５は、第１入力側回転体１１と第２入力側回転体１２との間で駆動伝達状態及び伝達遮断状態を切り換える入力側駆動切換部として入力側回転軸１に設けられている。
【００１６】
出力側回転軸２は、入力側回転軸１の外径方向位置で入力側回転軸１と平行に配置されている。また、この出力側回転軸２の回転が、排紙ローラ１６１に伝達されるようになっている。
【００１７】
さらに、出力側回転軸２に同軸に、第１出力側回転体２１と第２出力側回転体２２とが設けられている。
第１出力側回転体２１は、第１入力側回転体１１のギア１１ａに噛み合うギア２１ａを外周に備えた外歯歯車により構成され、出力側クラッチ６を介して出力側回転軸２に設けられている。したがって、第１出力側回転体２１は、出力側クラッチ６の締結状態で出力側回転軸２と一体的に回転し、出力側クラッチ６の解放状態で出力側回転軸２に対して空転する。
すなわち、出力側クラッチ６は、第１出力側回転体２１と第２出力側回転体２２との間で駆動伝達状態及び伝達遮断状態を切り換える出力側駆動切換部として出力側回転軸２に設けられている。
【００１８】
第２出力側回転体２２は、摩擦によりベルト４に駆動伝達を行うプーリであり、第２入力側回転体１２とベルト４を介して回転伝達可能に軸方向で同じ高さに配置されて出力側回転軸２と一体的に設けられている。なお、ベルト４の内周及び両回転体１２，２２の外周には、ギアを形成して噛み合い構造としてもよい。
【００１９】
（実施の形態１の作用）
（正転出力時）
出力側回転軸２を、図示を省略したモータの回転が伝達される駆動ギア３と同方向に回転させる正転出力時には、入力側クラッチ５を解放（ＯＦＦ）し、出力側クラッチ６を締結（ＯＮ）する。
【００２０】
図２（ａ）（ｂ）は、この正転出力時の駆動力の伝達の様子を示しており、駆動ギア３の矢印ｓ１１方向の回転は、第１入力側回転体１１に伝達されて、入力側回転軸１は、矢印ｓ１２の方向に逆転して伝達される。このとき、入力側クラッチ５は解放されているため、第２入力側回転体１２は、入力側回転軸１に対して空転する。
【００２１】
一方、出力側回転軸２では、第１入力側回転体１１の回転が第１出力側回転体２１に伝達され、第１出力側回転体２１は、矢印ｓ１４の方向に回転、すなわち正転する。さらに、第１出力側回転体２１の回転は、出力側クラッチ６を介して出力側回転軸２に伝達され、この出力側回転軸２も矢印ｓ１４の方向に正転する。
【００２２】
したがって、出力側回転軸２に連結された排紙ローラ１６１（図１参照）も正転する。なお、このとき、第２出力側回転体２２は、出力側回転軸２と一体回転し、その回転は、ベルト４を介して第２入力側回転体１２にも伝達される。このとき、第２入力側回転体１２は、前述のように入力側クラッチ５により入力側回転軸１と切り離なされているため、矢印ｓ１２方向に回転する入力側回転軸１に対して空転して矢印ｓ１２ｂ方向に回転する。
【００２３】
（逆転出力時）
出力側回転軸２を、図示を省略したモータの回転が伝達される駆動ギア３と逆方向に回転させる逆転出力時には、入力側クラッチ５を締結（ＯＮ）し、出力側クラッチ６を解放（ＯＦＦ）する。
図３（ａ）（ｂ）は、この逆転出力時の駆動力の伝達の様子を示しており、駆動ギア３の矢印ｓ１１方向の回転は、正転出力時と同様に、第１入力側回転体１１に伝達されて、入力側回転軸１は、矢印ｓ１２の方向に逆転して伝達される。
そして、この逆転出力時には、入力側クラッチ５は締結されているため、第２入力側回転体１２は、入力側回転軸１と一体的に矢印ｓ１２方向に回転する。
【００２４】
さらに、この第２入力側回転体１２の回転は、ベルト４を介して第２出力側回転体２２に伝達され、この第２出力側回転体２２及び出力側回転軸２は、矢印ｓ１３の方向、すなわち、駆動ギア３の回転方向（ｓ１１）と逆方向に回転する。そして、この出力側回転軸２に連結された排紙ローラ１６１も逆転する。
なお、出力側回転軸２では、第１入力側回転体１１の回転が第１出力側回転体２１に伝達されて、第１出力側回転体２１が、矢印ｓ１４の方向に回転すなわち正転する。しかし、このとき、出力側クラッチ６が解放されているため、第１出力側回転体２１は、出力側回転軸２に対して空転する。
【００２５】
（実施の形態１の効果）
以下に、実施の形態１の効果を列挙する。
ａ）実施の形態１の駆動伝達装置は、
第１入力側回転体１１及び第２入力側回転体１２が同軸上に保持された入力側回転軸１と、
第１入力側回転体１１の外径方向位置に配置されて第１入力側回転体１１から逆向きの回転方向に駆動伝達される第１出力側回転体２１及び第２入力側回転体１２の外径方向位置に配置されて第２入力側回転体１２から同じ向きの回転方向に駆動伝達される第２出力側回転体２２が、同軸上に保持された出力側回転軸２と、
入力側回転軸１に設けられて第１入力側回転体１１と第２入力側回転体１２との間で駆動伝達状態及び伝達遮断状態を切り換える入力側駆動切換部として入力側回転軸１と第２入力側回転体１２との間に設けられた入力側クラッチ５と、
出力側回転軸２に設けられて第１出力側回転体２１と第２出力側回転体２２との間で駆動伝達状態及び伝達遮断状態を切り換える出力側駆動切換部として出力側回転軸２と第１出力側回転体２１との間に設けられた出力側クラッチ６と、
を備えていることを特徴とする。
このように、両入力側回転体１１，１２を同軸に備えた入力側回転軸１と、両出力側回転体２１，２２を同軸に備えた出力側回転軸２とを、径方向に並設し、両者１，２の間には、駆動伝達を行なうギアなどの回転軸を備えた構成を介在させない構成とした。
したがって、両回転軸１，２の他に、回転軸を備えた駆動伝達部材を径方向に介在させるものと比較して、径方向に占有するスペースを削減することが可能となった。これにより、画像形成装置１００における設置自由度を向上させることが可能となった。
【００２６】
ｂ）実施の形態１の駆動伝達装置は、
出力側回転軸２から、駆動伝達される被駆動回転体として排紙ローラ１６１を備え、
出力側駆動切換部としての出力側クラッチ６は、第１出力側回転体２１と出力側回転軸２との間で駆動伝達状態及び伝達遮断状態を切り換えることを特徴とする。
したがって、入力側クラッチ５を伝達遮断状態（解放）し、出力側クラッチ６を駆動伝達状態（締結）として、出力側回転軸２を入力側回転軸１と逆方向に回転させることができる。一方、入力側クラッチ５を駆動伝達状態（締結）し、出力側クラッチ６を伝達遮断状態（解放）して、出力側回転軸２を入力側回転軸１と同方向に回転させることができる。
このように、出力側回転軸２の回転方向を正逆転させて、非駆動回転体としての排紙ローラ１６１へ駆動力（回転）を伝達することが可能となる。
【００２７】
ｃ）実施の形態１の駆動伝達装置は、
第１入力側回転体１１と第１出力側回転体２１との駆動伝達手段が、両回転体１１，２１の外周に形成された外歯歯車としてのギア１１ａ，２１ａを相互に噛み合わせた手段であり、
第２入力側回転体１２と第２出力側回転体２２との駆動伝達手段が、両者に巻掛けされたベルト４であることを特徴とする。
したがって、第１入力側回転体１１と第１出力側回転体２１とを介した駆動伝達では、入力側回転軸１から出力側回転軸２へ逆方向の回転として伝達する。一方、第２入力側回転体１２と第２出力側回転体２２とを介して駆動伝達では、入力側回転軸１から出力側回転軸２へ同方向の回転として伝達する。
このように、駆動伝達系として、第１入力側回転体１１と第１出力側回転体２１とを用いた場合と、第２入力側回転体１２と第２出力側回転体２２を用いた場合とで、両回転軸１，２の間の回転方向を逆方向に変えることができる。
また、ベルト４を介した駆動伝達の際には、複数のギアを介した駆動伝達と比較して、高速回転域での静音性が期待できる。
【００２８】
ｄ）実施の形態１の駆動伝達装置Ａの出力側回転軸２は、画像形成装置１００の排紙ローラ１６１に駆動伝達可能に設けられていることを特徴とする。
したがって、排紙ローラ１６１の回転方向を正転、逆転に切り換えるのにあたり、モータの回転方向を変えることなく回転方向を切り換えることを可能とするとともに、駆動伝達装置Ａの径方向の占有スペースを抑えることができる。
【００２９】
（実施の形態２）
次に、実施の形態２の駆動伝達装置Ｂについて、図４、図５に基づいて説明する。
なお、駆動伝達装置Ｂは、実施の形態１の変形例であるので、実施の形態１と共通する構成には、実施の形態１と同じ符号を付して、その説明を省略する。
【００３０】
図４、図５に示すように、入力側回転軸２０１に同軸に設けられた第２入力側回転体２１２は、外周縁部の内側にギア２１２ａが形成された内歯歯車により構成されている。そして、第２入力側回転体２１２は、入力側クラッチ２０５により、入力側回転軸２０１と一体回転する駆動伝達状態（締結）と、入力側回転軸２０１に対して空転する伝達遮断状態（解放）とに切り換えられる。
【００３１】
一方、出力側回転軸２０２に同軸に設けられた第２出力側回転体２２２は、外周にギア２２２ａが形成された外歯歯車により構成され、ギア２２２ａは、第２入力側回転体２１２のギア２１２ａに噛み合わされている。
【００３２】
（実施の形態２の作用）
（正転出力時）
出力側回転軸２０２を、図示を省略したモータの回転が伝達される駆動ギア３と同方向に回転させる正転出力時には、入力側クラッチ２０５を解放（ＯＦＦ）し、出力側クラッチ６を締結（ＯＮ）する。
【００３３】
図４は、この正転出力時の駆動力の伝達の様子を示しており、駆動ギア３の矢印ｓ２１方向の回転は、第１入力側回転体１１に伝達されて、入力側回転軸２０１は、矢印ｓ２２の方向に逆転して伝達される。このとき、入力側クラッチ２０５は解放されているため、第２入力側回転体２１２は、入力側回転軸２０１に対して空転する。
【００３４】
一方、出力側回転軸２０２では、第１入力側回転体１１の回転が第１出力側回転体２１に伝達され、第１出力側回転体２１は、矢印ｓ２３の方向に回転、すなわち正転する。さらに、第１出力側回転体２１の回転は、出力側クラッチ６を介して出力側回転軸２０２に伝達され、この出力側回転軸２０２も正転する。
【００３５】
したがって、出力側回転軸２０２に連結された排紙ローラ１６１（図１参照）も正転する。なお、このとき、第２出力側回転体２２２は、出力側回転軸２０２と一体回転し、その回転は、ギア２２２ａ，２１２ａを介して第２入力側回転体２１２にも伝達される。このとき、第２入力側回転体２１２は、前述のように入力側クラッチ２０５により入力側回転軸２０１と切り離なされているため、入力側回転軸２０１に対して空転して矢印ｓ２４方向に回転する。
【００３６】
（逆転出力時）
出力側回転軸２０２を、図示を省略したモータの回転が伝達される駆動ギア３と逆方向に回転させる逆転出力時には、入力側クラッチ２０５を締結（ＯＮ）し、出力側クラッチ６を解放（ＯＦＦ）する。
図５は、この逆転出力時の駆動力の伝達の様子を示しており、駆動ギア３の矢印ｓ２１方向の回転は、正転時と同様に、第１入力側回転体１１に伝達されて、入力側回転軸２０１は、矢印ｓ２２の方向に逆転して伝達される。
そして、この逆転出力時には、入力側クラッチ２０５は締結されているため、第２入力側回転体２１２は、入力側回転軸２０１と一体的に矢印ｓ２２方向に回転する。
【００３７】
さらに、この第２入力側回転体２１２の回転は、ギア２１２ａ，２２２ａを介して第２出力側回転体２２２に伝達され、この第２出力側回転体２２２及び出力側回転軸２０２は、矢印ｓ２５の方向、すなわち、駆動ギア３の回転方向（ｓ２１）と逆方向に回転する。そして、この出力側回転軸２０２に連結された排紙ローラ１６１も逆転する。
なお、出力側回転軸２０２では、第１入力側回転体１１の回転が第１出力側回転体２１に伝達されて、第１出力側回転体２１が、矢印ｓ２３の方向に回転すなわち正転する。しかし、このとき、出力側クラッチ６が解放されているため、第１出力側回転体２１は、出力側回転軸２０２に対して空転する。
【００３８】
したがって、実施の形態２にあっても、上記ａ）ｂ）の効果を奏する。
加えて、実施の形態２の駆動伝達装置Ｂは、第２入力側回転体２１２と第２出力側回転体２２２との駆動伝達手段が、第２入力側回転体２１２に形成された内歯歯車としてのギア２１２ａと、第２出力側回転体２２２の外周に形成された外歯歯車としてのギア２２２ａとを相互に噛み合わせた手段であることを特徴とする。
したがって、入力側回転軸２０１の回転を、第２入力側回転体２１２及び第２出力側回転体２２２を介して、出力側回転軸２０２に対して、同方向の回転として伝達することができる。
しかも、第２入力側回転体２１２が内歯歯車であることから、外歯歯車どうしの噛み合わせの場合と比較して、低騒音、低振動駆動化が期待できる。
【００３９】
なお、実施の形態２の変形例として、図５に示すように、第２出力側回転体２２２に、出力ギア３００を噛み合わせ、この出力ギア３００を被駆動回転体として、排紙ローラ１６１などと同軸に設けてもよい。
このように、出力側回転軸２からの出力形態にバリエーションを与えることにより、設計自由度の向上を図ることが可能となる。
【００４０】
以上、本発明の実施の形態について説明したが、本発明はこうした実施の形態に限定されるものではなく、本発明の要旨を逸脱しない範囲内において種々の変形および置換を加えることができる。
【００４１】
例えば、実施の形態では、本発明の駆動伝達装置を、画像形成装置においてモータと排紙ローラとの間の駆動伝達に用いた例を示したがこれに限定されない。
具体的には、画像形成装置の作像装置の現像ユニットにおいてトナー像を顕像化する像担持体の回転に用いたり、同じく作像装置の転写ユニットにおける中間転写ベルトの回転に用いたり、同じく作像装置の感光体の回転に用いたりすることができる。さらに、画像形成装置の定着装置のローラの回転に用いることもできる。
【００４２】
また、実施の形態では、入力側駆動切換部は、入力側回転軸と第２入力側回転体との間に設けた例を示したが、第１入力側回転体と第２入力側回転体との間で駆動伝達状態及び伝達遮断状態を切り換えるものであれば、設置位置はこれに限定されない。
例えば、入力側駆動切換部を、入力側回転軸の途中に設け、入力側回転軸において、第１入力側回転体側と第２入力側回転体側とで伝達／遮断を行なうようにしてもよい。あるいは、入力側駆動切換部を、第１入力側回転体と入力側回転軸との間に設けてもよい。
より具体的に説明すると、前者の場合、実施の形態１における入力側回転軸１を、軸方向に第１入力側回転体１１側の第１軸と、第２入力側回転体１２側の第２軸と、を軸方向に直列に配置する。そして、第１軸と第２軸との間で、入力側クラッチ５などの入力側駆動切換部により駆動力の伝達／遮断を行うようにすることができる。
また、後者の場合、実施の形態１に示した構造で説明すると、入力側クラッチ５などの入力側駆動切換部を入力側回転軸１と第１入力側回転体１１との間に設け、両者１，１１の間で駆動力の伝達／遮断を行うようにすることができる。
【００４３】
また、実施の形態では、出力側駆動切換部は、出力側回転軸と第２出力側回転体との間に設けた例を示したが、第１出力側回転体と第２出力側回転体との間で駆動伝達状態及び伝達遮断状態を切り換えるものであれば、これに限定されない。
例えば、出力側駆動切換部を、出力側回転軸の途中に設け、出力側回転軸において、第１出力側回転体側と第２出力側回転体側とで伝達／遮断を行なうようにしてもよい。
より具体的に説明すると、実施の形態１に示した出力側回転軸２を、軸方向に第１出力側回転体２１側の第１軸と、第２出力側回転体２２側の第２軸と、を軸方向に直列に配置する。そして、第１軸と第２軸との間で、出力側クラッチ６などの入力側駆動切換部により駆動力の伝達／遮断を行うようにすることができる。
あるいは、出力側駆動切換部を、第２出力側回転体と出力側回転軸との間に設けてもよい。この場合、出力側回転軸は、常に、第１出力側回転体と同方向に回転させ、出力側回転軸からの出力は、第２出力側回転体から行なうようにする。
より具体的に実施の形態１に示した構造で説明すると、出力側クラッチ６などの入力側駆動切換部を、出力側回転軸２と第２出力側回転体２２との間に設けることができる。そして、この場合には、出力側回転軸２の回転方向が一方向となるため、出力側回転軸２からの出力は、実施の形態２の変形例にて説明したように、第２出力側回転体２２から行うようにする。この回転出力は、実施の形態２にて説明したように、出力ギア３００との噛み合いを用いる他に、ベルトやチェーンなどを用いることもできる。
【００４４】
さらに、第１入力側回転体と第１出力側回転体との回転伝達手段及び第２入力側回転体と第２出力側回転体との回転伝達手段は、実施の形態に示したものに限定されない。例えば、第１入力側回転体と第１出力側回転体との駆動伝達を、ベルトなどを用いることも可能である。この場合、逆方向の回転にするには、ベルトを両回転体の中間でクロスさせて各回転体に巻き付ける。また、第２入力側回転体と第２出力側回転体との回転伝達手段に外歯歯車を用いることもできる。この場合、両回転体を同方向に回転させるには、両者間に外歯歯車を介在させる。
【符号の説明】
【００４５】
１     入力側回転軸
２     出力側回転軸
４     ベルト
５     入力側クラッチ（入力側駆動切換部）
６     出力側クラッチ（出力側駆動切換部）
１１   第１入力側回転体
１２   第２入力側回転体
２１   第１出力側回転体
２２   第２出力側回転体
１００ 画像形成装置
１６１ 排紙ローラ（被駆動回転体）
２０１ 入力側回転軸
２０２ 出力側回転軸
２０５ 入力側クラッチ（入力側駆動切換部）
２１２ 第２入力側回転体
２１２ａギア（内歯歯車）
２２２ 第２出力側回転体
２２２ａギア（外歯歯車）
３００ 出力ギア（被駆動回転体）
Ａ     駆動伝達装置
Ｂ     駆動伝達装置
【先行技術文献】
【特許文献】
【００４６】
【特許文献１】特開２０１０−０２３９８３号公報
【図１】
2014173676.tif 000003
【図２】
2014173676.tif 000004
【図３】
2014173676.tif 000005
【図４】
2014173676.tif 000006
【図５】
2014173676.tif 000007